(57)【特許請求の範囲】
【請求項１】
受信信号を所定のパスタイミングでフィンガに割り当て、前記フィンガで逆拡散された信号を合成、復調して出力する、ＣＤＭＡ方式の移動通信復調回路におけるパスサーチ処理回路において、
隣接するパスタイミングの差分に基づいて、制御の対象となるパスタイミングを特定する第１の手段と、
信号の遅延時間に対する電力相関値の分布を示す遅延プロファイルを参照して、前記パスタイミング間の最大電力相関値を検出し、各々の前記パスタイミングにおける電力相関値と前記最大電力相関値とに基づいて、前記パスタイミングの割り当ての適否を判定する第２の手段と、
を少なくとも備えることを特徴とするパスサーチ処理回路。
【請求項２】
前記第１の手段は、前記隣接するパスタイミングの差分が所定の閾値よりも小さい場合に、前記隣接するパスタイミングを制御の対象となるパスタイミングとして特定し、
前記第２の手段は、前記最大電力相関値が、各々の前記パスタイミングにおける電力相関値の内の値の大きい電力相関値に所定の閾値を乗算した値よりも大きい場合に、前記パスタイミングの割り当てが適切でないと判定する
ことを特徴とする請求項１記載のパスサーチ処理回路。
【請求項３】
受信信号を所定のパスタイミングでフィンガに割り当て、前記フィンガで逆拡散された信号を合成、復調して出力する、ＣＤＭＡ方式の移動通信復調回路におけるパスサーチ処理回路において、
信号の遅延時間に対する電力相関値の分布を示す遅延プロファイルを計算する遅延プロファイル計算部と、
前記遅延プロファイルにおける前記電力相関値のピークをサーチする相関ピーク検出部と、
サーチされた前記ピークに対応するパスタイミングを各々の前記フィンガに割り当てるパスタイミング判定部と、
前記フィンガに割り当てられた隣接するパスタイミングの差分と所定の閾値とを比較するパスタイミング比較部と、
前記差分が前記所定の閾値より小さい場合に、前記遅延プロファイルを参照して、前記パスタイミング間の最大電力相関値を検出し、前記最大電力相関値と各々の前記パスタイミングにおける電力相関値の内の値の大きい電力相関値に所定の閾値を乗算した値とを比較するレベル比較部と、を少なくとも備え、
前記パスタイミング判定部は、前記乗算した値よりも前記最大電力相関値の方が大きい場合に、前記パスタイミングの割り当てを破棄し、前記最大電力相関値に対応するタイミングを新たなパスタイミングとして前記フィンガに割り当てる制御を行う
ことを特徴とするパスサーチ処理回路。
【請求項４】
受信信号を所定のパスタイミングでフィンガに割り当て、前記フィンガで逆拡散された信号を合成、復調して出力する、ＣＤＭＡ方式の移動通信復調回路におけるパスサーチ方法において、
隣接するパスタイミングの差分に基づいて、制御の対象となるパスタイミングを特定する第１のステップと、
信号の遅延時間に対する電力相関値の分布を示す遅延プロファイルを参照して、前記パスタイミング間の最大電力相関値を検出し、各々の前記パスタイミングにおける電力相関値と前記最大電力相関値とに基づいて、前記パスタイミングの割り当ての適否を判定する第２のステップと、
を有することを特徴とするパスサーチ方法。
【請求項５】
前記第１のステップは、前記隣接するパスタイミングの差分が所定の閾値よりも小さい場合に、前記隣接するパスタイミングを制御の対象となるパスタイミングとして特定するステップを有し、
前記第２のステップは、前記最大電力相関値が、各々の前記パスタイミングにおける電力相関値の内の値の大きい電力相関値に所定の閾値を乗算した値よりも大きい場合に、前記パスタイミングの割り当てが適切でないと判定するステップを有する
ことを特徴とする請求項４記載のパスサーチ方法。
【請求項６】
受信信号を所定のパスタイミングでフィンガに割り当て、前記フィンガで逆拡散された信号を合成、復調して出力する、ＣＤＭＡ方式の移動通信復調回路におけるパスサーチ方法において、
信号の遅延時間に対する電力相関値の分布を示す遅延プロファイルを計算するステップと、
前記遅延プロファイルにおける前記電力相関値のピークをサーチするステップと、
サーチされた前記ピークに対応するパスタイミングを各々の前記フィンガに割り当てるステップと、
前記フィンガに割り当てられた隣接するパスタイミングの差分と所定の閾値とを比較するステップと、
前記差分が前記所定の閾値より小さい場合に、前記遅延プロファイルを参照して前記パスタイミング間の最大電力相関値を検出するステップと、
前記最大電力相関値と各々の前記パスタイミングにおける電力相関値の内の値の大きい電力相関値に所定の閾値を乗算した値とを比較するステップと、
前記乗算した値よりも前記最大電力相関値の方が大きい場合に、前記パスタイミングの割り当てを破棄し、前記最大電力相関値に対応するタイミングを新たなパスタイミングとして前記フィンガに割り当てるステップと、
を有することを特徴とするパスサーチ方法。
【請求項７】
受信信号を所定のパスタイミングでフィンガに割り当て、前記フィンガで逆拡散された信号を合成、復調して出力する、ＣＤＭＡ方式の移動通信復調回路で動作する制御プログラムであって、
コンピュータに、
隣接するパスタイミングの差分に基づいて、制御の対象となるパスタイミングを特定する第１のステップと、
信号の遅延時間に対する電力相関値の分布を示す遅延プロファイルを参照して、前記パスタイミング間の最大電力相関値を検出し、各々の前記パスタイミングにおける電力相関値と前記最大電力相関値とに基づいて、前記パスタイミングの割り当ての適否を判定する第２のステップを、
実行させることを特徴とする制御プログラム。
【請求項８】
前記第１のステップは、前記隣接するパスタイミングの差分が所定の閾値よりも小さい場合に、前記隣接するパスタイミングを制御の対象となるパスタイミングとして特定するステップを有し、
前記第２のステップは、前記最大電力相関値が、各々の前記パスタイミングにおける電力相関値の内の値の大きい電力相関値に所定の閾値を乗算した値よりも大きい場合に、前記パスタイミングの割り当てが適切でないと判定するステップを有する
ことを特徴とする請求項７記載の制御プログラム。
【発明の詳細な説明】
【技術分野】
【０００１】
本発明は、ＣＤＭＡ（Ｃｏｄｅ  Ｄｉｖｉｓｉｏｎ  Ｍｕｌｔｉｐｌｅ  Ａｃｃｅｓｓ）方式の移動通信復調回路におけるパスサーチ処理回路及びパスサーチ方法並びに制御プログラムに関する。
【背景技術】
【０００２】
無線通信において、送信機から送信された信号は、送信機又は受信機の移動に伴って生じるフェージングや遮蔽物による回折、減衰等の影響を受ける。受信機は複数の信号（マルチパス）を受信する。
ここで、無線通信の通信方式として、ＴＤＭＡ（Ｔｉｍｅ  Ｄｉｖｉｓｉｏｎ  Ｍｕｌｔｉｐｌｅ  Ａｃｃｅｓｓ）やＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＣＤＭＡなどがある。ＴＤＭＡやＦＤＭＡでは上記マルチパスの内の１つを受信すべき信号とした場合に他の信号は受信すべき信号を妨害する雑音となる。ＣＤＭＡでは、マルチパスが個別のパスに分離してフィンガに割り当てられる。割り当てられた複数のパスの信号を受信機でＲａｋｅ合成することにより全てのパスの信号が受信すべき信号として処理される。これらの処理の実行によって受信感度を上げているのである。このようにマルチパスを分離して各々のパスのタイミングを求めてフィンガに割り当てる処理はパスサーチ処理と呼ばれる。このパスサーチ処理に関して様々な提案がなされている。
例えば、先行技術文献（ＪＰ  １９９８−３０８６８９Ａ、第４−７頁、第１図）には、図１に示されるように、拡散コードを発生する拡散コード発生手段と、受信した信号を復調する復調手段を備え、復調手段が出力する復調信号を復号データとして出力するスペクトラム拡散通信で用いる受信機が開示されている。この受信機は、同一パスに対する複数フィンガの割り当てを防ぐため、各フィンガ割り当てタイミングを１ｃｈｉｐ離して割り当てるように制御する構成を有している。
【発明の開示】
【発明が解決しようとする課題】
【０００３】
上述したように、ＣＤＭＡ方式の移動通信復調回路におけるパスサーチおよびＲａｋｅ合成によりパスダイバーシチ効果が得られる。従って受信特性を良好に保つためには、パスの分離、すなわちパスタイミングの検出が重要な技術となる。
しかしながら、移動通信ではパスタイミングは時々刻々と変化するため、パスタイミングが近づくことにより、各パスの分離が困難となる場合が生じる。例えば、実際のパスタイミングとフィンガ割り当てとが図４Ｂに示すような状態になった場合に、上記先行技術文献記載の方法を実施しても、実際のパスタイミングがフィンガに割り当てられない可能性がある。
パスサーチできていないパスは受信側で干渉成分となり、受信特性を劣化させてしまう。このことから、受信特性を良好に保つためには高精度なパスサーチが必要である。特に、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）のような高速データ通信では干渉の影響を受けやすく、受信特性の劣化が顕著に現れてしまうことから、高精度なパスサーチを可能とするパスサーチ処理回路及びパスサーチ方法の提案が望まれている。
本発明は、上記問題点に鑑みてなされたものであって、その主たる目的は、マルチパス環境下において複数のパスタイミングが近づいた場合であっても、適切なパスタイミングを検出することができるＣＤＭＡ方式の移動通信復調回路におけるパスサーチ処理回路及びパスサーチ方法並びに制御プログラムを提案することにある。
【課題を解決するための手段】
【０００４】
本発明の第１の態様によれば、受信信号を所定のパスタイミングでフィンガに割り当て、前記フィンガで逆拡散された信号を合成、復調して出力する、ＣＤＭＡ方式の移動通信復調回路におけるパスサーチ処理回路であって、隣接するパスタイミングの差分に基づいて、制御の対象となるパスタイミングを特定する第１の手段と、信号の遅延時間に対する電力相関値の分布を示す遅延プロファイルを参照して、前記パスタイミング間の最大電力相関値を検出し、各々の前記パスタイミングにおける電力相関値と前記最大電力相関値とに基づいて、前記パスタイミングの割り当ての適否を判定する第２の手段と、を少なくとも備えるパスサーチ処理回路が得られる。
本発明において、前記第１の手段は、前記隣接するパスタイミングの差分が所定の閾値よりも小さい場合に、前記隣接するパスタイミングを制御の対象となるパスタイミングとして特定する。前記第２の手段は、前記最大電力相関値が、各々の前記パスタイミングにおける電力相関値の内の値の大きい電力相関値に所定の閾値を乗算した値よりも大きい場合に、前記パスタイミングの割り当てが適切でないと判定する。
また、本発明の第２の態様によれば、受信信号を所定のパスタイミングでフィンガに割り当て、前記フィンガで逆拡散された信号を合成、復調して出力する、ＣＤＭＡ方式の移動通信復調回路におけるパスサーチ処理回路であって、信号の遅延時間に対する電力相関値の分布を示す遅延プロファイルを計算する遅延プロファイル計算部と、前記遅延プロファイルにおける前記電力相関値のピークをサーチする相関ピーク検出部と、サーチされた前記ピークに対応するパスタイミングを各々の前記フィンガに割り当てるパスタイミング判定部と、前記フィンガに割り当てられた隣接するパスタイミングの差分と所定の閾値とを比較するパスタイミング比較部と、前記差分が前記所定の閾値より小さい場合に、前記遅延プロファイルを参照して前記パスタイミング間の最大電力相関値を検出し、前記最大電力相関値と各々の前記パスタイミングにおける電力相関値の内の値の大きい電力相関値に所定の閾値を乗算した値とを比較するレベル比較部と、を少なくとも備え、前記パスタイミング判定部では、前記乗算した値よりも前記最大電力相関値の方が大きい場合に、前記パスタイミングの割り当てを破棄し、前記最大電力相関値に対応するタイミングを新たなパスタイミングとして前記フィンガに割り当てる制御を行うパスサーチ処理回路が得られる。
また、本発明の第３の態様によれば、受信信号を所定のパスタイミングでフィンガに割り当て、前記フィンガで逆拡散された信号を合成、復調して出力する、ＣＤＭＡ方式の移動通信復調回路におけるパスサーチ方法であって、隣接するパスタイミングの差分に基づいて、制御の対象となるパスタイミングを特定する第１のステップと、信号の遅延時間に対する電力相関値の分布を示す遅延プロファイルを参照して、前記パスタイミング間の最大電力相関値を検出し、各々の前記パスタイミングにおける電力相関値と前記最大電力相関値とに基づいて、前記パスタイミングの割り当ての適否を判定する第２のステップと、を少なくとも備えるパスサーチ方法が得られる。
ここで、本発明において、前記第１のステップは、前記隣接するパスタイミングの差分が所定の閾値よりも小さい場合に、前記隣接するパスタイミングを制御の対象となるパスタイミングとして特定する。前記第２のステップは、前記最大電力相関値が、各々の前記パスタイミングにおける電力相関値の内の値の大きい電力相関値に所定の閾値を乗算した値よりも大きい場合に、前記パスタイミングの割り当てが適切でないと判定する。
また、本発明の第４の態様によれば、受信信号を所定のパスタイミングでフィンガに割り当て、前記フィンガで逆拡散された信号を合成、復調して出力する、ＣＤＭＡ方式の移動通信復調回路におけるパスサーチ方法であって、信号の遅延時間に対する電力相関値の分布を示す遅延プロファイルを計算するステップと、前記遅延プロファイルにおける前記電力相関値のピークをサーチするステップと、サーチされた前記ピークに対応するパスタイミングを各々の前記フィンガに割り当てるステップと、前記フィンガに割り当てられた隣接するパスタイミングの差分と所定の閾値とを比較するステップと、前記差分が前記所定の閾値より小さい場合に、前記遅延プロファイルを参照して前記パスタイミング間の最大電力相関値を検出するステップと、前記最大電力相関値と各々の前記パスタイミングにおける電力相関値の内の値の大きい電力相関値に所定の閾値を乗算した値とを比較するステップと、前記乗算した値よりも前記最大電力相関値の方が大きい場合に、前記パスタイミングの割り当てを破棄し、前記最大電力相関値に対応するタイミングを新たなパスタイミングとして前記フィンガに割り当てるステップと、を少なくとも備えるパスサーチ方法が得られる。
また、本発明の第５の態様によれば、受信信号を所定のパスタイミングでフィンガに割り当て、前記フィンガで逆拡散された信号を合成、復調して出力する、ＣＤＭＡ方式の移動通信復調回路で動作する制御プログラムであって、コンピュータに、隣接するパスタイミングの差分に基づいて、制御の対象となるパスタイミングを特定する第１のステップ、信号の遅延時間に対する電力相関値の分布を示す遅延プロファイルを参照して、前記パスタイミング間の最大電力相関値を検出し、各々の前記パスタイミングにおける電力相関値と前記最大電力相関値とに基づいて、前記パスタイミングの割り当ての適否を判定する第２のステップを実行させる制御プログラ厶が得られる。
前記第１のステップは、前記隣接するパスタイミングの差分が所定の閾値よりも小さい場合に、前記隣接するパスタイミングを制御の対象となるパスタイミングとして特定するステップを有する。前記第２のステップは、前記最大電力相関値が、各々の前記パスタイミングにおける電力相関値の内の値の大きい電力相関値に所定の閾値を乗算した値よりも大きい場合に、前記パスタイミングの割り当てが適切でないと判定するステップを有する。
このように、本発明によれば、隣接するパスタイミングの差分に基づいて制御の対象となるパスタイミングが特定される。さらに本発明によれば、その制御対象と判定されたパスタイミングにおける電力相関値及びそのタイミング間の最大電力相関値とに基づいてパスタイミングの割り当ての適否が判定され、その結果に基づいてパスタイミングの割り当てが変更される。したがって、マルチパス環境下において複数のパスタイミングが近づいた場合であっても適切なパスタイミングを検出することができる。これにより受信特性の劣化を抑制し、消費電力の低減を図ることができる。
【発明の効果】
【０００５】
本発明のＣＤＭＡ方式の移動通信復調回路におけるパスサーチ処理回路及びパスサーチ方法並びに制御プログラムによれば、下記記載の効果が得られる。
本発明によれば、フィンガに割り当てられたパスタイミングの電力相関値とそのパスタイミング間の最大電力相関値とを比較することによってフィンガ割り当てタイミングが制御されているので、誤ったフィンガ割り当てによる受信特性の劣化を低減することができる。
また、本発明によれば、上記フィンガ割り当てタイミングの制御において、隣接するパスタイミングの差分と所定の閾値とを比較することによって制御の対象となるパスタイミングの特定が行われているので、制御判定誤りによる受信特性の劣化を低減することができる。
また、本発明によれ、上記フィンガ割り当てタイミングの制御によってフィンガへのパスアサイン誤りが低減されるので、余計なフィンガを動作させずに消費電力を低減することができる。
【図面の簡単な説明】
【０００６】
図１は先行技術文献における遅延プロファイルの例を示す図である。
図２は本発明の一実施例に係るＣＤＭＡ方式の移動通信復調回路の構成を示す図である。
図３は本発明の一実施例に係る復調回路を用いたパスサーチ動作を示すフローチャート図である。
図４Ａは本発明の一実施例に係る遅延プロファイル（１パス）の例を示す図である。
図４Ｂは本発明の一実施例に係る遅延プロファイル（２パス）の例を示す図である。
【発明を実施するための最良の形態】
【０００７】
以下では、本発明の実施例に関して説明する。上記背景技術で示したように、移動通信におけるパスタイミングは時々刻々と変化するため、信号の遅延時間に対する電力相関値を示す遅延パスプロファイルは、図４Ａに示すような１パス状態や、図４Ｂのような複数パス状態となる。従来の移動通信システムではそれらの状態を判別することができないため、適切なパスタイミングをフィンガに割り当てることができず、良好な受信特性を得ることができなかった。また、誤ってパスを割り当てることにより余分なフィンガを動作させていた。このような余分な動作が消費電力を増加させていた。
そこで、本発明では、ＣＤＭＡ方式の移動通信復調回路に、隣接するパスタイミングの差分と所定の閾値とを比較するパスタイミング比較部と、制御対象と判定された一対のパスタイミングに関して、遅延プロファイルを参照して一対のパスタイミング間の最大電力相関値を検出し、そのパスタイミングにおける電力相関値と最大電力相関値とを比較するパスレベル比較部と、その比較結果に基づいてフィンガ割り当てタイミングを制御するパスタイミング判定部とを設けた。この構成によれば、遅延プロファイル計算で得られる電力相関ピーク値に応じて、フィンガ割当てタイミングが適応的に制御される。
すなわち、上記した構成を有する移動通信復調回路は、フィンガ割り当てタイミング（ｔ，ｔ＋Ｎ）における電力相関値Ｐｔ，Ｐｔ＋Ｎと、両フィンガ割り当てタイミングの間（ｔ＋１〜ｔ＋Ｎ−１）の電力相関値の最大値とを比較し、得られた遅延プロファイルが図４Ａに示すような１パス状態であるか、それとも図４Ｂに示すような複数パス状態であるかを判断し、そのパス状態に応じてフィンガ割り当てタイミングを適応的に制御する。
このように、フィンガ割り当てタイミング付近の電力相関値を用いてフィンガ割り当てタイミングを適応的に制御することにより、受信タイミングの近いパスが存在する場合であっても良好な受信特性を保持することができ、かつ、フィンガへのパス誤アサインを減少させることにより消費電力を低減することができる。
ＣＤＭＡ方式の移動通信復調回路におけるパスサーチ処理回路及びパスサーチ方法並びに制御プログラムについて、図２〜図４を参照して詳細に説明する。図２は、一般的なフィンガ／レイクを用いた復調方式に対応した復調回路の構成を示すブロック図であり、図３は、この復調回路を用いたパスサーチ方法を示すフローチャート図である。また、図４は、遅延プロファイルの例を示す図であり、図４Ａは１パス状態、図４Ｂは複数パス状態を示している。
図２に示すように、本実施例の復調回路は、遅延プロファイル計算部１と相関ピーク検出部２とパスタイミング判定部３とパスタイミング比較部４とパスレベル比較部５とから構成されるパスサーチ処理部と、複数のフィンガから構成されるフィンガ部６と、Ｒａｋｅ合成処理を行うＲａｋｅ合成部７と、復調処理を行う受信データ処理部８とを有している。
なお、上記パスサーチ処理部におけるパスタイミング比較部４及びパスレベル比較部５はハードウェアとして構成されていてもよい。また、コンピュータを、パスタイミング比較部４及びパスレベル比較部５として機能させる制御プログラムとして構成し、この制御プログラムを復調回路上で動作させる構成としてもよい。
上記復調回路の動作について説明する。直交検波をされ、復調されたＩ成分信号及びＱ成分信号は各々遅延プロファイル計算部１に入力される。遅延プロファイル計算部１にて同相加算、電力加算を行うことにより、平均化された遅延プロファイルが作成される。相関ピーク検出部２では、遅延プロファイル計算部１により計算された遅延プロファイルのピークサーチが行われる。パスタイミング判定部３は、前記ピークに対応するパスタイミングを、電力相関値の高いパス位置をフィンガ割り当てパス位置として、フィンガに割当てる。フィンガ部６は各フィンガに割当てられたパスを逆拡散する。フィンガ部６の出力はＲａｋｅ合成部７によりＲａｋｅ合成される。Ｒａｋｅ合成されたＲａｋｅ合成信号は、受信データ処理部８により復調され、復調出力信号として出力される。
パスタイミング判定部３によってフィンガに割当てられたパスタイミングは、パスタイミング比較部４にフィードバックされる。パスタイミング比較部４は、フィンガに割り当てられたパスタイミングの差分を予め設定された閾値と比較する。その比較結果により制御対象とされたフィンガ割り当てタイミングに関しては、パスレベル比較部５により、フィンガ割り当てタイミング付近の電力相関値が比較される。パスタイミング判定部３は、その比較結果に基づいて、現在のパスタイミングが適切ではないと判断した場合には新たなパスタイミングをフィンガに割り当てる。
以下、制御実施有無の判定方法について説明する。パスタイミング比較部４は、フィンガ割り当てタイミングの中に差分が小さいパスタイミングの組がないか判定する。パスレベル比較部５は、差分が小さいと判定されたパスタイミングにおける電力相関値とそのパスタイミング間の電力相関値とを比較する。フィンガに割り当てられていないパスタイミングの電力相関値がフィンガ割り当てタイミングの電力相関値より所定の閾値以上に大きい場合は、現フィンガ割り当てタイミングは遅延プロファイルの裾に割り当てられていると判断される。この場合、パスタイミング判定部３は制御対象となった現フィンガ割り当てタイミングを破棄し、閾値以上の電力相関値を示したパスタイミングを新たにフィンガに割り当てる。なお、パスタイミング比較部４で参照される閾値や、パスレベル比較部５で参照される閾値は特に限定されず、復調回路に求められる性能に応じて適宜設定することができる。また、制御実施有無の判定に保護段数を用いると更に制御判定誤りを低減することができるが、保護段数は周知の技術であり、ここでは詳細は記載しない。
次に、パスタイミング判定部３、パスタイミング比較部４、パスレベル比較部５で実施されるパスサーチ動作について、図３のフローチャートを参照して説明する。
まず、パスタイミング比較部４は、フィンガに割り当てられているパスタイミングにおける隣接するパスタイミングの差分を検出する（ステップＳ２０）。パスタイミング比較部４は、さらにその差分が所定の閾値Ｎ以下であるか否かの比較を行う（ステップＳ２１）。
もし隣接するパスタイミングの差分がＮ以下であった場合は（ステップＳ２１のＹＥＳ）、その２つのフィンガ割り当てタイミングは図４に示すような同一受信パスの遅延プロファイルの裾に割り当てられている可能性があると判断される。次に後述するパスレベルの比較を実施する。一方、隣接するパスタイミングの差分がＮより大きい場合は（ステップＳ２１のＮｏ）、フィンガには異なるパスが割り当てられていると判断され、パス割り当てを変更せずに（ステップＳ２６）、処理が終了する。
以下、上記パスレベルの比較方法について説明する。パスレベル比較部５は、遅延プロファイル計算部２の出力から対象フィンガ割り当てパスタイミング（図４のｔ，ｔ＋Ｎ）間の最大電力相関値Ｐｍａｘを検出する（ステップＳ２２）。パスレベル比較部５は、さらに対象フィンガ割り当てパスタイミングにおける電力相関値Ｐｔ、Ｐｔ＋Ｎの内、レベルの最も大きい値Ｍａｘ（Ｐｔ、Ｐｔ＋Ｎ）に所定の閾値Ｘ（Ｘ＞＝１）を乗算して、ＰｍａｘとＭａｘ（Ｐｔ、Ｐｔ＋Ｎ）×Ｘのレベル比較を行う（ステップＳ２３）。
レベル比較の結果、ＰｍａｘがＭａｘ（Ｐｔ、Ｐｔ＋Ｎ）×Ｘより大きければ（ステップＳ２３のＹＥＳ）、パスタイミング判定部３は、対象フィンガ割り当てパスタイミング（図４のｔ，ｔ＋Ｎ）が図４Ａに示すように同一受信パスの遅延プロファイルの裾に割り当てられていると判断し、実際のパスタイミングはＰｍａｘが検出されたタイミングであると判断する。その後パスタイミング判定部３は、対象フィンガ割り当てパスタイミングｔ，ｔ＋Ｎをフィンガ割り当てから除外し、新たにＰｍａｘが検出されたタイミングをフィンガに割り当てる（ステップＳ２４）。一方、Ｍａｘ（Ｐｔ、Ｐｔ＋Ｎ）×ＸがＰｍａｘより大きければ（ステップＳ２３のＮｏ）、パスタイミング判定部３は、図４Ｂに示すように２つのパスが近いタイミングで受信されていると判断し、対象フィンガ割り当てパスタイミングｔ，ｔ＋Ｎをフィンガに割り当てる。
最後に、全てのフィンガ割り当てタイミングに対して、上記手順に従って比較判定が実施される（ステップＳ２５）。
このように、パスタイミング比較部４により、フィンガに割り当てられたパスタイミングの差分と所定の閾値とが比較され、パスレベル比較部５により、制御対象とされたパスタイミングに関してはフィンガ割り当てタイミング間の最大電力相関値が検出され、各々のフィンガ割り当てタイミングにおける電力相関値と最大電力相関値とが比較される。パスタイミング判定部３は、その比較結果に基づいて、現在のパスタイミングが適切ではないと判断した場合には、新たなパスタイミングをフィンガに割り当てるように動作する。このため、マルチパス環境下における複数のパスタイミングが近づいた場合であっても、適切なパスタイミングを検出することができ、これにより受信特性の劣化を低減し、消費電力の低減を図ることができる。
【産業上の利用可能性】
【０００８】
本発明は、携帯電話端末や携帯端末装置など、ＣＤＭＡ方式を用いた任意の通信機器に適用することができる。
【図１】
0004807527.tif 000002
【図２】
0004807527.tif 000003
【図３】
0004807527.tif 000004
【図４Ａ】
0004807527.tif 000005
【図４Ｂ】
0004807527.tif 000006